(57)【要約】【課題】複数の表示画面を有効に活用して表示することである。【解決手段】表示対象の画像データを、接続台装置としてのクレードル２０を介して、撮像装置としてのデジタルカメラ１０に送信する情報処理装置としてのＰＣ３０と、ＰＣ３０から送信された前記表示対象の画像データを受信し、当該受信した表示対象の画像データを第１の表示手段に表示させるデジタルカメラ１０と、を備える。【選択図】  図１
2006099660.tif 000002
【特許請求の範囲】
【請求項１】
被写体を撮像して画像データを取得する撮像装置と、
情報処理装置と、
前記撮像装置を載置可能で、前記撮像装置及び前記情報処理装置を通信手段を介して接続する接続台装置と、を備え、
前記情報処理装置は、
表示対象の画像データを前記通信手段を介して前記撮像装置に送信する第１の制御手段と、を備え、
前記撮像装置は、
情報を表示する第１の表示手段と、
前記情報処理装置から送信された前記表示対象の画像データを前記通信手段を介して受信し、当該受信した表示対象の画像データを前記第１の表示手段に表示する第２の制御手段と、を備えることを特徴とする画像表示システム。
【請求項２】
前記情報処理装置は、
画像データ又は非画像データを前記第１の表示手段に表示可能とする画像データに変換して表示対象の画像データを取得する画像データ取得手段を備えることを特徴とする請求項１に記載の画像表示システム。
【請求項３】
前記画像データ取得手段は、所定データから前記撮像装置に表示させる前記画像データ又は非画像データを抽出することを特徴とする請求項２に記載の画像表示システム。
【請求項４】
前記撮像装置は、
情報を記憶する記憶手段を備え、
前記第２の制御手段は、前記第１の表示手段により表示された画像データを前記記憶手段に記憶することを特徴とする請求項１から３のいずれか一項に記載の画像表示システム。
【請求項５】
前記情報処理装置は、
情報を表示する第２の表示手段と、
画像データを含む所定データから当該画像データを表示対象の画像データとして取得するとともに、前記所定データ内の画像データの位置情報を取得する画像データ取得手段と、を備え、
前記第１の制御手段は、前記所定データを前記第２の表示手段に表示し、
前記撮像装置は、
操作入力を受け付ける操作手段を備え、
前記第２の制御手段は、前記受信した表示対象の画像データを前記第１の表示手段に表示し、当該表示された画像データのうち前記操作手段を介して選択された画像データの識別情報を前記通信手段を介して前記情報処理装置に送信し、
前記第１の制御手段は、前記識別情報を前記通信手段を介して受信し、当該識別情報の画像データに対応する位置情報に基づいて、前記第２の表示手段に表示する所定データの表示位置を変更することを特徴とする請求項１に記載の画像表示システム。
【請求項６】
情報を表示する第１及び第２の表示手段と、
操作入力を受け付ける操作手段と、
画像データを含む所定データから当該画像データを表示対象の画像データとして取得するとともに、前記所定データ内の画像データの位置情報を取得する画像データ取得手段と、
前記所定データを前記第２の表示手段に表示し、前記取得した表示対象の画像データを前記第１の表示手段に表示し、当該表示された画像データのうち前記操作手段を介して選択された画像データに対応する位置情報に基づいて、前記第２の表示手段に表示される所定データの表示位置を変更する制御手段と、を備えることを特徴とする画像表示装置。
【請求項７】
情報処理装置のコンピュータに、
撮像装置を載置可能で前記情報処理装置及び前記撮像装置に通信接続された接続台装置を介して、表示対象の画像データを前記撮像装置に送信する機能を実現させ、
前記撮像装置のコンピュータに、
前記情報処理装置から送信された前記表示対象の画像データを、前記接続装置を介して受信する機能と、
前記受信した表示対象の画像データを表示する機能と、を実現させるための画像表示プログラム。
【請求項８】
第１及び第２の表示手段を備えるコンピュータに、
画像データを含む所定データから当該画像データを表示対象の画像データとして取得するとともに、前記所定データ内の画像データの位置情報を取得する機能と、
前記所定データを前記第２の表示手段に表示し、前記取得した表示対象の画像データを前記第１の表示手段に表示し、当該表示された画像データのうち選択された画像データに対応する位置情報に基づいて、前記第２の表示手段に表示される所定データの表示位置を変更する機能と、
を実現させるための画像表示プログラム。
【発明の詳細な説明】
【技術分野】
【０００１】
本発明は、画像データを表示する画像表示システム、画像表示装置及び画像表示プログラムに関する。
【背景技術】
【０００２】
従来、デジタル（スチル）カメラは、商用電源等に接続されたクレードルに載置して充電を行っていた。近年、クレードルに、デジタルカメラ内に記憶された画像データを、デジタルカメラの表示部にスライドショー表示させる機能を有するものが実施されている。
【０００３】
また、ＰＣ（Personal Computer）に通信接続されたクレードルに載置されたデジタルカメラに記憶される画像データを読み出し、クレードルを介してＰＣに送信する構成が考えられている（例えば、特許文献１参照）。
【０００４】
一方、ＰＣのＯＳ（Operating System）では、２つのディスプレイを同時に表示制御可能なものが実施されている。例えば、２つのディスプレイの画面を並列に配置して、１つのデスクトップ画面を２分割した画面のそれぞれを各ディスプレイに表示させることで、ユーザが２画面分の大きなデスクトップ画面を目視して操作できる。
【特許文献１】特開２００４−１４０５８９号公報
【発明の開示】
【発明が解決しようとする課題】
【０００５】
しかし、上記クレードルを用いるデジタルカメラの構成では、ＰＣ側に記憶された画像データをデジタルカメラで表示制御することが困難であり、ＰＣ側の画像データをデジタルカメラの表示部に表示させる要請がある。
【０００６】
また、上記ＰＣで表示部２台を同時に表示制御する構成では、デスクトップ画面を大きく使用する目的以外に、表示部２台を有効活用する要請がある。
【０００７】
本発の課題は、複数の表示画面を有効に活用して表示することである。
【課題を解決するための手段】
【０００８】
上記課題を解決するために、請求項１に記載の発明は、
被写体を撮像して画像データを取得する撮像装置と、
情報処理装置と、
前記撮像装置を載置可能で、前記撮像装置及び前記情報処理装置を通信手段を介して接続する接続台装置と、を備え、
前記情報処理装置は、
表示対象の画像データを前記通信手段を介して前記撮像装置に送信する第１の制御手段と、を備え、
前記撮像装置は、
情報を表示する第１の表示手段と、
前記情報処理装置から送信された前記表示対象の画像データを前記通信手段を介して受信し、当該受信した表示対象の画像データを前記第１の表示手段に表示する第２の制御手段と、を備えることを特徴とする画像表示システムである。
【０００９】
請求項６に記載の発明は、
情報を表示する第１及び第２の表示手段と、
操作入力を受け付ける操作手段と、
画像データを含む所定データから当該画像データを表示対象の画像データとして取得するとともに、前記所定データ内の画像データの位置情報を取得する画像データ取得手段と、
前記所定データを前記第２の表示手段に表示し、前記取得した表示対象の画像データを前記第１の表示手段に表示し、当該表示された画像データのうち前記操作手段を介して選択された画像データに対応する位置情報に基づいて、前記第２の表示手段に表示される所定データの表示位置を変更する制御手段と、を備えることを特徴とする画像表示装置である。
更に、コンピュータに対して、上述した請求項１、６に記載の発明に示した主要機能を実現させるためのプログラムを提供する（請求項７、８に記載の発明）。
【発明の効果】
【００１０】
請求項１又は７に記載の発明によれば、情報処理装置から接続装置に載置された撮像装置へ表示対象の画像データを送信し、その画像データを撮像装置で受信して第１の表示手段に表示するので、撮影していないときでも撮像装置の第１の表示手段を有効活用して、情報処理装置の画像データを表示することができる。
【００１１】
請求項２に記載の発明によれば、情報処理装置側で、画像データ又は非画像データを第１の表示手段に表示可能とする表示対象の画像データに変換して撮像装置に送信するので、撮像装置において、画像データを適切に表示することができるとともに、撮像装置で画像データの変換手段が不要となり、撮像装置の装置構成を簡略化し、その製造コスト及びサイズを低減することができ、さらに、通信量（通信時間）を低減できる。
【００１２】
請求項３に記載の発明によれば、所定データから撮像装置に表示させる画像データ又は非画像データを抽出するので、表示させる画像データ又は非画像データのみを抽出して表示対象の画像データに変換して第１の表示手段に表示できる。
【００１３】
請求項４に記載の発明によれば、第１の表示手段に表示された画像データを記憶するので、撮像装置を接続台装置から外した状態でも、記憶手段に記憶された、情報処理装置から受信した画像データを読み出して第１の表示手段に表示することができる。
【００１４】
請求項５に記載の発明によれば、情報処理装置において、所定データに含まれる画像データをその位置情報とともに取得し、情報処理装置からその画像データを撮像装置に送信し、撮像装置において、その画像データを受信して第１の表示手段に表示し、ユーザに選択された画像データの識別情報を情報処理装置に送信して、情報処理装置において、第２の表示手段に表示された編集データの表示位置を、選択された識別情報（画像データ）の位置情報に対応して移動させるので、撮像装置の第１の表示手段を有効活用して、第１の表示手段に表示された画像データをキーとして、情報処理装置の第２の表示手段に表示された所定データの表示位置を容易に移動させることができる。
【００１５】
請求項６又は８に記載の発明によれば、所定データに含まれる画像データをその位置情報とともに取得し、その画像データを第１の表示手段に表示し、第２の表示手段に表示された所定データの表示位置を、選択された画像データに対応して移動させるので、第１及び第２の表示手段を有効活用して、第１の表示手段に表示された画像データをキーとして、第２の表示手段に表示された所定データの表示位置を容易に移動させることができる。
【発明を実施するための最良の形態】
【００１６】
以下、添付図面を参照して本発明に係る好適な第１〜第３の実施の形態を順に詳細に説明する。
【００１７】
（第１の実施の形態）
図１〜図４を参照して、本発明に係る第１の実施の形態を説明する。先ず、図１〜図３を参照して本実施の形態の装置構成を説明する。図１に、本実施の形態の画像表示システム１００の構成を示す。図２に、デジタルカメラ１０の内部構成を示す。図３に、ＰＣ３０の内部構成を示す。
【００１８】
図１に示すように、本実施の形態の画像表示システム１００は、撮像装置としてのデジタルカメラ１０と、接続台装置としてのクレードル２０と、情報処理装置としてのＰＣ３０と、を備えて構成される。クレードル２０は、商用電源（図示せず）に接続される。デジタルカメラ１０は、クレードル２０に載置されることで、クレードル２０から電源供給されて充電される。
【００１９】
また、クレードル２０は、ケーブル等を介してＰＣ３０と通信接続されるとともに、載置されたデジタルカメラ１０と端子接続される。つまり、クレードル２０に載置されたデジタルカメラ１０は、クレードル２０を介してＰＣ３０と通信接続される。
【００２０】
図２に示すように、デジタルカメラ１０は、撮影部１１と、第２の制御手段としての制御部１２と、操作手段としての操作部１３と、第１の表示手段としての表示部１４と、情報記録部１５と、ＤＲＡＭ（Dynamic Random Access Memory）１６と、記憶手段としてのフラッシュメモリ１７と、通信手段としてのＩ／Ｆ（インタフェース）部１８と、を備えて構成される。
【００２１】
撮影部１１は、光学系１１１と、信号変換部１１２と、画像データ取得手段としての信号処理部１１３と、を備えて構成される。光学系１１１は、レンズ、絞りと、これらの駆動部とを備える。光学系１１１は、制御部１２の指示により、ズーム、合焦、絞り調整等を行う。信号変換部１１２は、ＣＣＤ（Charge-Coupled Devices）、ＣＭＯＳ（Complementary Metal-Oxide Semiconductor）等の撮像素子と、Ａ／Ｄ変換部等とを備える。信号変換部１１２は、光学系１１１を介して入射された被写体からの光を撮像素子により撮像してアナログ画像信号を生成し、Ａ／Ｄ変換部によりそのアナログ画像信号をデジタル画像データに変換して制御部１２に出力する。信号処理部１１３は、ＤＲＡＭ１６に記憶された画像データをＪＰＥＧ（Joint Photographic Coding Experts Group）形式で圧縮して、その圧縮した画像データを情報記録部１５に記憶手段としてのメモリカード１５１へ記録させる。
【００２２】
制御部１２は、ＣＰＵ（Central Processing Unit）と、ＲＡＭと、ＲＯＭ（Read Only memory）等と、により構成され、デジタルカメラ１０の各部を制御する。制御部１２は、ＣＰＵによりＲＯＭに記憶されているシステムプログラム及び各種アプリケーションプログラム（例えば、後述する第１の画像データ送信プログラムを含む）の中から指定されたプログラムが適宜読み出されてＲＡＭに展開され、ＲＡＭに展開されたプログラムと、ＣＰＵとの協働で、各種処理を実行する。
【００２３】
操作部１３は、シャッタキー１３１と、各種操作キー等とを備え、ユーザによりシャッタキー１３１、各種操作キー等から操作入力された情報を制御部１２に出力する。
【００２４】
表示部１４は、ＬＣＤ（Liquid Crystal Display）、ＥＬ（ElectroLuminescent Display）等を備え、制御部１２から入力された表示情報を表示する。情報記録部１５は、ＳＤ（Secure Digital）カード、メモリスティック、ｘＤピクチャカード等のメモリカード１５１のスロットを備え、メモリカード１５１が着脱可能である。情報記録部１５は、セットされたメモリカード１５１に記憶された情報の読み出しと、メモリカード１５１への情報の書き込みとを行う。
【００２５】
ＤＲＡＭ１６は、信号変換部１１２から出力された画像データを一時的に格納する。フラッシュメモリ１７は、情報を読み出し及び書き込み可能に記憶する不揮発性のメモリである。Ｉ／Ｆ部１８は、接続端子を備え、その接続端子に接続されたクレードル２０との通信を介する。
【００２６】
デジタルカメラ１０で撮影する際には、先ず、光学系１１１を介して入射された光が信号変換部１１２により所定周期で画像データに変換され、その画像データがＤＲＡＭ１６に格納される。これとともに、制御部１２により、ＤＲＡＭ１６に格納された画像データが所定周期で読み出されて表示部１４にスルー画像として表示され、表示部１４が電子ファインダとして機能する。そして、ユーザにより適切なタイミングでシャッタキー１３１が押下されたことをトリガとして、信号処理部１１３により、ＤＲＡＭ１６に格納された画像データがＪＰＥＧ形式で圧縮されて、そのＪＰＥＧファイル（撮影画像データ）がメモリカード１５１に記録される。
【００２７】
クレードル２０は、図示しないが、デジタルカメラ１０及びＰＣ３０の間の通信を介する通信部と、商用電源からの供給電流を変換してデジタルカメラ１０に供給して充電する充電回路とを備えて構成される。クレードル２０の通信部は、デジタルカメラ１０の接続端子と、ＰＣ３０に接続される通信ケーブルのコネクタ等を備える。
【００２８】
図３に、ＰＣ３０の内部構成を示す。ＰＣ３０は、ＣＰＵ３１と、操作部３２と、ＲＡＭ３３と、第２の通信手段としての表示部３４と、記憶部３５と、通信部３６と、通信手段としてのＩ／Ｆ部３７とを備えて構成され、各部がバス３８を介して接続される。
【００２９】
ＣＰＵ３１は、ＰＣ３０の各部を中央制御する。ＣＰＵ３１により、記憶部３５に記憶されているシステムプログラム及び各種アプリケーションプログラム（例えば、後述する第１の画像データ表示プログラムを含む）の中から指定されたプログラムが適宜読み出されてＲＡＭ３３に展開され、ＲＡＭ３３に展開されたプログラムと、ＣＰＵ３１との協働で、画像データ取得手段及び第１の制御手段等としての各種処理を実行する。
【００３０】
操作部３２は、キーボード等を有し、ユーザによる各種キー入力を受け付ける。また、操作部３２は、マウス等のポインティングデバイスを有し、位置情報の入力を受け付けることとしてもよい。ＲＡＭ３３は、ワークエリアを有し、各種情報を一時的に格納する。
【００３１】
表示部３４は、ＣＲＴ（Cathode Ray Tube）、ＬＣＤ等を備え、ＣＰＵ３１から入力される表示情報を表示する。記憶部３５は、ＨＤＤ（Hard Disk Drive）等の記録媒体を備え、ＣＰＵ３１により、その記録媒体に記録された各種情報の読み出し及び各種情報の書き込みを行う。記憶部３５の記録媒体としては、ＨＤＤに限定されるものではなく、フラッシュメモリ等の固定記録媒体や、フレクシブルディスク、ＣＤ−ＲＷ等の可搬のものを含めてもよい。また、記憶部３５の記録媒体として、ＲＯＭ、ＣＤ−ＲＯＭ等の情報読み出し専用のものを含めて、書き換え不要の情報を記憶させてもよい。
【００３２】
通信部３６は、通信ネットワークに接続されるモデム等の装置を備え、通信ネットワーク上の外部機器との通信を介する。Ｉ／Ｆ部３７は、ＵＳＢ（Universal Serial Bus）等の方式で、外部機器との直接の通信を介する。本実施の形態では、Ｉ／Ｆ部３７が、通信ケーブルを介してクレードル２０と通信接続されるものとする。
【００３３】
次に、図４を参照して、本実施の形態の画像表示システム１００の動作を説明する。図４に、ＰＣ３０で実行される第１の画像データ送信処理と、デジタルカメラ１０で実行される第１の画像データ表示処理と、の流れを示す。
【００３４】
先に、ＰＣ３０により実行される第１の画像データ送信処理を説明する。第１の画像データ送信処理は、デジタルカメラ１０にスライドショー表示させる画像データを、デジタルカメラ１０に送信する処理である。予め、スライドショー表示させるための画像データは、記憶部３５に記憶されているものとする。
【００３５】
例えば、ユーザから、操作部３２を介して、スライドショー表示指示が入力されたことをトリガとして、ＣＰＵ３１により、記憶部３５から第１の画像データ送信プログラムが適宜読み出されてＲＡＭ３３に展開され、ＲＡＭ３５内の第１の画像データ送信プログラムと、ＣＰＵ３１との協働で第１の画像データ送信処理が実行される。
【００３６】
先ず、操作部３２を介するスライドショーの設定等入力指示の入力の有無に基づいて、スライドショーの各種設定と、スライドショー表示用の少なくとも１つの画像データの選択とを実行するか否かが判別される（ステップＳ１１）。スライドショーの各種設定とは、例えば、スライドショーの各種設定とは、例えば、画像データの表示切り替え間隔、画像データの表現方式（画面中央から出現、フェードアウト等）、ループ設定等である。
【００３７】
スライドショーの設定等を入力する場合（ステップＳ１１；ＹＥＳ）、操作部３２を介してスライドショーの各種設定入力が受け付けられ、さらにスライドショー表示用の画像データの選択入力が受け付けられる（ステップＳ１２）。そして、スライドショーの実行を要求する旨の情報と、スライドショーの各種設定情報とが、Ｉ／Ｆ部３７及びクレードル２０を介してデジタルカメラ１０に送信される（ステップＳ１３）。各種設定情報は、ステップＳ１２で入力された設定情報である。
【００３８】
デフォルトの設定情報及び画像データを用いるために、スライドショーの設定等を入力しない場合（ステップＳ１１；ＮＯ）、ステップＳ１３に移行される。この場合、ステップＳ１３において、デフォルトの設定情報が送信される。
【００３９】
そして、表示用画像データ又はデフォルトの画像データが、デジタルカメラ１０表示用に最適化される（ステップＳ１４）。最適化とは、例えば、選択された画像データがビットマップ方式である場合に、ＪＰＥＧ形式に変換されたり、選択された画像データの画素数が表示部１４の解像度に対応するものに低減される。この最適化された形式及びサイズの画像データを最適化画像データとする。
【００４０】
そして、後述するステップＳ１６で選択されていない未選択の最適化画像データがあるか否かが判別される（ステップＳ１５）。未選択の最適化画像データがある場合（ステップＳ１５；ＹＥＳ）、未選択の最適化画像データが一つ選択される（ステップＳ１６）。この選択順は、スライドショーでの表示順とする。
【００４１】
そして、ステップＳ１６で選択された最適化画像データが、Ｉ／Ｆ部３７及びクレードル２０を介してデジタルカメラ１０に送信され（ステップＳ１７）、ステップＳ１５に移行される。未選択の最適化画像データがない場合（ステップＳ１５；ＮＯ）、画像データの送信終了の旨が、Ｉ／Ｆ部３７及びクレードル２０を介してデジタルカメラ１０に送信され（ステップＳ１８）、第１の画像データ送信処理が終了する。
【００４２】
次いで、デジタルカメラ１０により実行される第１の画像データ表示処理を説明する。第１の画像データ表示処理は、ＰＣ３０から受信した画像データを表示部１４にスライドショー表示する処理である。
【００４３】
ステップＳ１３に対応して、ＰＣ３０から、クレードル２０及びＩ／Ｆ部１８を介してスライドショーの要求の情報及び各種設定情報を受信したことをトリガとして、制御部２０において、ＲＯＭから第１の画像データ表示プログラムが適宜読み出されてＲＡＭに展開され、ＲＡＭ内の第１の画像データ表示プログラムと、ＣＰＵとの協働で第１の画像データ表示処理が実行される。
【００４４】
先ず、実行するモードがスライドショーを表示するためのスライドショーモードに切り替えられ、受信した各種設定情報に基づいて各種設定が実行される（ステップＳ２１）。そして、ステップＳ１７に対応して、ＰＣ３０から、クレードル２０及びＩ／Ｆ部１８を介して画像データ（最適化画像データ）が受信開始されたか否かが判別される（ステップＳ２２）。画像データが受信開始された場合（ステップＳ２２；ＹＥＳ）、その画像データが受信される（ステップＳ２３）。
【００４５】
そして、受信した各種設定情報に基づいて、受信した画像データが、表示部１４にスライドショー表示される（ステップＳ２４）。画像データが受信開始されていない場合（ステップＳ２２；ＮＯ）、ステップＳ２２に戻るが、一定時間以上経過しても画像データが受信開始されない場合は、この処理をエラーとして終了する（図示省略）。
【００４６】
そして、ステップＳ１８に対応して、ＰＣ３０から、クレードル２０及びＩ／Ｆ部１８を介して送信終了の旨が受信されたか否かが判別される（ステップＳ２５）。画像データの送信終了の旨が受信されない場合（ステップＳ２５；ＮＯ）、ステップＳ２２に移行される。送信終了の旨が受信された場合（ステップＳ２５；ＹＥＳ）、第１の画像データ表示処理が終了する。このとき、例えば、スライドショーのループ設定がされている場合には、表示部１４においてスライドショーがループ表示され、操作部１３からスライドショーの終了指示が入力された場合に、第１の画像データ表示処理が終了する。
【００４７】
以上、本実施の形態によれば、ＰＣ３０からクレードル２０に載置されたデジタルカメラ１０へ画像データを送信し、その画像データをデジタルカメラ１０で受信して表示部１４に表示するので、撮影していないときでもデジタルカメラ１０の表示部１４を有効活用して、ＰＣ３０の画像データを表示することができる。
【００４８】
また、ＰＣ３０側で、画像データをデジタルカメラ１０に対応するように最適化してデジタルカメラ１０に送信するので、デジタルカメラ１０において、画像データを最適にして表示することができるとともに、デジタルカメラ１０で画像データを最適化する手段が不要となり、デジタルカメラ１０の装置構成を簡略化し、その製造コスト及びサイズを低減することができ、さらに、通信量（通信時間）を低減できる。
【００４９】
なお、本実施の形態では、デジタルカメラ１０で複数の画像データをスライドショー表示させる構成としたが、これに限定されるものではない。例えば、デジタルカメラ１０で通常表示等のその他の表示をさせる画像データを、ＰＣ３０からデジタルカメラ１０に送信して、デジタルカメラ１０において、その画像データを表示する構成としてもよい。
【００５０】
また、例えば、デジタルカメラ１０で複数の画像データを表示させる場合、操作部１３又は３２を介する画像切り替えの入力により、デジタルカメラ１０の表示画像を切り替える構成としてもよい。例えば、ＰＣ１０で画像編集アプリケーションプログラムが実行され、編集中の画像データがリアルタイムで表示部３４に表示され、編集前の画像データがＰＣ３０からデジタルカメラ１０に送信され、デジタルカメラ１０で編集前の画像データが切り替え入力により適宜切り替えられて表示され、表示部３４に表示される編集後の画像データと、デジタルカメラ１０に表示される編集前の画像データとが、ユーザにより容易に比較できる構成としてもよい。
【００５１】
また、デジタルカメラ１０で表示した画像データが、ユーザ選択によりメモリカード１５１又はフラッシュメモリ１７に記憶でき、又は自動的に記録される構成としてもよい。この構成では、デジタルカメラ１０をクレードルから外した状態でも、メモリカード１５１又はフラッシュメモリ１７に記憶された、ＰＣ３０から受信した画像データを読み出して表示部１４に表示することができる。
【００５２】
（第２の実施の形態）
図５及び図６を参照して、本発明に係る第２の実施の形態を説明する。本実施の形態の装置構成は、第１の実施の形態と同様であり、その説明を省略する。
【００５３】
図５及び図６を参照して、本実施の形態の画像表示システム１００の動作を説明する。図５に、ＰＣ３０で実行される第２の画像データ送信処理と、デジタルカメラ１０で実行される第２の画像データ表示処理と、の流れを示す。図６（ａ）に、本実施の形態におけるＰＣ３０の表示画面例を示す。図６（ｂ）に、本実施の形態におけるデジタルカメラ１０の表示画面例を示す。
【００５４】
先に、ＰＣ３０により実行される第２の画像データ送信処理を説明する。第２の画像データ送信処理は、デジタルカメラ１０に付箋紙の画像データ（付箋紙画像データ）を、デジタルカメラ１０に送信する処理である。予め、ＰＣ３０において、ワードプロセッサプログラムが実行され、ユーザにより文書データの編集作業が行われているものとする。ここで、実行されているプログラムは、ワードプロセッサプログラムに限定されるものではなく、編集データに、付箋紙データを貼り付けられるものであれば、他のアプリケーションプログラム等であってもよい。付箋紙データは、ＪＰＥＧ形式やビットマップ形式等の画像データではない非画像データとする。
【００５５】
例えば、ユーザから、操作部３２を介して、付箋紙抽出表示指示が入力されたことをトリガとして、第１の実施の形態と同様にして、ＣＰＵ３１、ＲＡＭ３３、記憶部３５により、第２の画像データ送信処理が実行される。
【００５６】
先ず、付箋紙データ抽出表示の実行を要求する旨の情報が、Ｉ／Ｆ部３７及びクレードル２０を介してデジタルカメラ１０に送信される（ステップＳ３１）。そして、起動中のアプリケーションプログラムの編集作業が終了したか否かが判別される（ステップＳ３２）。この編集作業中に、随時、ユーザにより操作部３２を介して付箋紙データが追加入力／削除入力される。
【００５７】
起動中のアプリケーションプログラムの編集作業が終了していない場合（ステップＳ３２；ＮＯ）、ユーザにより、操作部３２を介して、付箋紙データの新たな入力が行われたか否かが判別される（ステップＳ３３）。ここでの、付箋紙データの新たな入力とは、付箋紙データの文字の追加入力及び削除入力とし、さらに、初めてステップＳ３３を通過する場合（既に開かれている編集データに含まれる付箋紙データの初めての入力の場合）も含めるものとする。
【００５８】
付箋紙データの新たな入力が行われた場合（ステップＳ３３；ＹＥＳ）、新たに入力された付箋紙データが編集データから抽出され、ＪＰＥＧ形式の画像データに変換（付箋紙画像データとする）される（ステップＳ３４）。そして、ステップＳ３３において変換された付箋紙画像データが、Ｉ／Ｆ部３７及びクレードル２０を介してデジタルカメラ１０に送信され（ステップＳ３５）、ステップＳ３２に移行される。付箋紙データの新たな入力が行われていない場合（ステップＳ３３；ＮＯ）、ステップＳ３２に移行される。
【００５９】
起動中のアプリケーションプログラムの編集作業が終了した場合（ステップＳ３２；ＹＥＳ）、画像データの送信終了の旨が、Ｉ／Ｆ部３７及びクレードル２０を介してデジタルカメラ１０に送信され（ステップＳ３６）、第２の画像データ送信処理が終了する。
【００６０】
次いで、デジタルカメラ１０により実行される第２の画像データ表示処理を説明する。第２の画像データ表示処理は、ＰＣ３０から受信した付箋紙の画像データを表示部１４に一覧表示する処理である。
【００６１】
ステップＳ３１に対応して、ＰＣ３０から、クレードル２０及びＩ／Ｆ部１８を介して付箋紙データ抽出表示の要求の情報を受信したことをトリガとして、制御部２０において、第２の画像データ表示処理が実行される。
【００６２】
先ず、実行するモードが付箋紙データを表示するための付箋紙表示モードに切り替えられる（ステップＳ４１）。そして、ステップＳ３５に対応して、ＰＣ３０から、クレードル２０及びＩ／Ｆ部１８を介して付箋紙画像データが受信開始されたか否かが判別される（ステップＳ４２）。付箋紙画像データが受信開始されていない場合（ステップＳ４２；ＮＯ）、ステップＳ４２に戻るが、一定時間以上経過しても付箋紙画像データが受信開始されない場合は、この処理をエラーとして終了する（図示省略）。付箋紙画像データが受信開始された場合（ステップＳ４２；ＹＥＳ）、その付箋紙画像データが受信される（ステップＳ４３）。
【００６３】
そして、受信した付箋紙画像データに基づいて、ＤＲＡＭ１６に格納中の、表示部１４に表示中の画像データ（表示画像データとする）が、付箋紙を並べた最新の状態に更新されて、その表示画像データが表示部１４に表示される（ステップＳ４４）。初回にステップＳ４４を実行する場合には、受信した付箋紙画像データに基づいて表示画像データが作成されてＤＲＡＭ１４に格納される。
【００６４】
そして、ステップＳ３５に対応して、ＰＣ３０から、クレードル２０及びＩ／Ｆ部１８を介して送信終了の旨が受信されたか否かが判別される（ステップＳ４５）。画像データの送信終了の旨が受信されない場合（ステップＳ４５；ＮＯ）、ステップＳ４２に移行される。
【００６５】
画像データの送信終了の旨が受信された場合（ステップＳ４５；ＹＥＳ）、ユーザにより、操作部１３を介して、ＤＲＡＭ１６に格納された表示画像データを保存する指示入力があるか否かが判別される（ステップＳ４６）。表示画像データを保存する指示入力があるか否かが判別される（ステップＳ４６）。表示画像データを保存する指示入力がある場合（ステップＳ４６；ＹＥＳ）、表示画像データがＤＲＡＭ１６から読み出されて情報記録部１５によりメモリカード１５１に記憶され（ステップＳ４７）、第２の画像データ表示処理が終了する。表示画像データは、メモリカード１５１に代えて、フラッシュメモリ１７に記憶する構成としてもよい。表示画像データを保存する指示入力がない場合（ステップＳ４６；ＮＯ）、第２の画像データ表示処理が終了する。
【００６６】
例えば、図６（ａ）に示すように、ＰＣ３０において、表示画面３４ａが表示部３４に表示されて、ユーザによりワードプロセッサの文書が編集され、付箋紙データＰ１，Ｐ２が入力された場合に、図６（ｂ）に示すように、デジタルカメラ１０において、付箋紙データＰ１，Ｐ２のみを含む表示画面１４ａが表示部１４にリアルタイムに表示される。このため、ワードプロセッサの文書編集での付箋紙参照を容易にし、ＰＣ３０において、ユーザによる付箋紙部分へのスクロール又はカーソル移動の操作を容易にする。
【００６７】
以上、本実施の形態によれば、ＰＣ３０において、アプリケーションプログラムの編集データから付箋紙データを抽出して画像データに変換し、ＰＣ３０から付箋紙画像データを、クレードル２０に載置されたデジタルカメラ１０に送信し、その付箋紙画像データをデジタルカメラ１０で受信して表示部１４に表示するので、デジタルカメラ１０の表示部１４を有効活用して、ＰＣ３０の画像データを表示するとともに、編集データ中の所定のデータ（付箋紙データ）を抽出して表示できる。
【００６８】
なお、本実施の形態では、ＰＣ３０で入力された付箋紙データをデジタルカメラ１０でリアルタイムに表示する構成としたが、これに限定されるものではない。例えば、所定数（１つ又は複数）の付箋紙データが入力されるたびに、ＰＣ３０からデジタルカメラ１０に順に送信されて表示される構成としてもよい。また、全ての付箋紙データが入力されたタイミングで、ＰＣ３０からデジタルカメラ１０に一括して送信されて表示される構成としてもよい。
【００６９】
また、本実施の形態では、ＰＣ３０で入力された非画像データとしての付箋紙データを最適な画像データに変換して、デジタルカメラ１０で表示する構成としたが、その他の文字データ、表データ、数式データ等の画像データに変換可能な非画像データをＰＣ３０で変換して、デジタルカメラ１０で表示する構成としてもよい。また、デジタルカメラが、文字データ等を直接表示可能な構成とすれば、その画像データをＰＣ３０で変換不要とする構成としてもよい。また、第１の実施の形態においても、ＰＣ３０において、画像データ以外のデータがデジタルカメラ１０に最適な画像データに変換される構成としてもよい。
【００７０】
（第３の実施の形態）
図７〜図９を参照して、本発明に係る第３の実施の形態を説明する。本実施の形態の装置構成は、第１の実施の形態と同様であり、その説明を省略する。
【００７１】
図７〜図９を参照して、本実施の形態の画像表示システム１００の動作を説明する。図７に、ＰＣ３０で実行される第３の画像データ送信処理と、デジタルカメラ１０で実行される第３の画像データ表示処理と、の流れを示す。図８に、識別番号対応テーブル３３１の構成を示す。図９（ａ），（ｃ），（ｅ）に、本実施の形態におけるＰＣ３０の表示画面例を示す。図９（ｂ），（ｄ），（ｆ）に、本実施の形態におけるデジタルカメラ１０の表示画面例を示す。
【００７２】
先に、ＰＣ３０により実行される第３の画像データ送信処理を説明する。第３の画像データ送信処理は、デジタルカメラ１０に位置検索用の画像データ（キー画像データ）を、デジタルカメラ１０に送信し、アプリケーションプログラムの編集データの表示位置を、デジタルカメラ１０から送信される識別番号に対応する位置に移動する処理である。予め、ＰＣ３０において、ワードプロセッサプログラムが実行され、ユーザ操作により文書データが開かれて表示部３４に表示されているものとする。ここで、実行されているプログラムは、ワードプロセッサプログラムに限定されるものではなく、表計算プログラム、プレゼンテーションデータ作成プログラム等のように、編集データに画像データを貼り付けられるものであれば、他のアプリケーションプログラム等であってもよい。
【００７３】
例えば、ユーザから、操作部３２を介して、画像データをキーとして検索する画像検索指示が入力されたことをトリガとして、第１の実施の形態と同様にして、ＣＰＵ３１、ＲＡＭ３３、記憶部３５により、第３の画像データ送信処理が実行される。
【００７４】
先ず、画像選択により表示画面の移動実行を要求する旨の情報が、クレードル２０及びＩ／Ｆ部３７を介してデジタルカメラ１０に送信される（ステップＳ５１）。開かれている文書データ等の編集データ内の全画像データが、その編集データ内の位置情報とともに取得され、各画像データに識別番号が付与されて、各位置情報と対応付けられてＲＡＭ３３に格納される（ステップＳ５２）。例えば、図８に示すように、各画像データの識別番号３３１１と、位置情報３３１２とが対応付けられた識別番号対応テーブル３３１が作成されてＲＡＭ３３に格納される。
【００７５】
そして、ステップＳ５２で取得された画像データが、デジタルカメラ１０表示用に最適化される（ステップＳ５３）。そして、最適化画像データ及びその識別番号が対応付けられて、Ｉ／Ｆ部３７及びクレードル２０を介してデジタルカメラ１０に送信される（ステップＳ５４）。そして、実行中のアプリケーションプログラムの編集作業が終了したか否かが判別される（ステップＳ５５）。この編集作業中に、随時、ユーザにより操作部３２を介して編集データ内の画像データが追加入力／削除入力される。
【００７６】
実行中のアプリケーションプログラムの編集作業が終了していない場合（ステップＳ５５；ＮＯ）、後述するステップＳ６７に対応して、識別番号がクレードル２０及びＩ／Ｆ部３７を介してデジタルカメラ１０から受信されたか否かが判別される（ステップＳ５６）。識別番号が受信された場合（ステップＳ５６；ＹＥＳ）、ＲＡＭ３３内の識別情報対応テーブル３３１が参照され、表示部３４において表示中の編集データの表示画面の位置が、受信した識別番号の画像データに対応する位置情報の示す位置にジャンプされる（ステップＳ５７）。
【００７７】
そして、画像データの新たな入力が行われたか否かが判別される（ステップＳ５８）。識別番号が受信されていない場合（ステップＳ５６；ＮＯ）、又は画像データの新たな入力が行われていない場合（ステップＳ５８；ＮＯ）、ステップＳ５５に移行される。画像データの新たな入力が行われた場合（ステップＳ５８；ＹＥＳ）、ステップＳ５２に移行される。この場合、識別番号対応テーブル３３１は更新され、デジタルカメラ１０の表示も更新されるものとする。この場合、ＰＣ３０からデジタルカメラ１０へ送信する画像データ及び識別番号は、前回送信されたものの差分データとしてもよい。
【００７８】
実行中のアプリケーションプログラムの編集作業が終了した場合（ステップＳ５５；ＹＥＳ）、編集作業の送信終了の旨が、Ｉ／Ｆ部３７及びクレードル２０を介してデジタルカメラ１０に送信され（ステップＳ５９）、第３の画像データ送信処理が終了する。
【００７９】
次いで、デジタルカメラ１０により実行される第３の画像データ表示処理を説明する。第３の画像データ表示処理は、ＰＣ３０から受信した画像データを一括して表示部１４に表示とともに、操作部１３を介して選択された画像データの識別番号をＰＣ３０に送信する処理である。
【００８０】
ステップＳ５１に対応して、ＰＣ３０から、クレードル２０及びＩ／Ｆ部１８を介して画像検索の要求の情報を受信したことをトリガとして、制御部２０において、第３の画像データ表示処理が実行される。
【００８１】
先ず、実行するモードが、画像データの選択によりＰＣ３０の表示画面を移動するための画面移動モードに切り替えられる（ステップＳ６１）。そして、ステップＳ５４に対応して、ＰＣ３０から、クレードル２０及びＩ／Ｆ部１８を介して画像データ及びその識別番号が受信開始されたか否かが判別される（ステップＳ６２）。画像データ及びその識別番号が受信開始されていない場合（ステップＳ６２；ＮＯ）、ステップＳ６２に戻るが、一定時間以上経過しても画像データ及びその識別番号が受信開始されない場合は、この処理をエラーとして終了する（図示省略）。
【００８２】
画像データ及びその識別番号が受信開始された場合（ステップＳ６２；ＹＥＳ）、その画像データ及び識別番号が受信される（ステップＳ６３）。そして、受信した画像データがサムネイルで一覧表示される（ステップＳ６４）。
【００８３】
そして、ステップＳ５９に対応して、ＰＣ３０から、クレードル２０及びＩ／Ｆ部１８を介して作業終了の旨が受信されたか否かが判別される（ステップＳ６５）。作業終了の旨が受信されない場合（ステップＳ６５；ＮＯ）、ユーザにより、操作部１３を介して、ジャンプ先に対応する画像データが選択入力されたか否かが判別される（ステップＳ６６）。画像データが選択入力された場合（ステップＳ６６；ＹＥＳ）、選択された画像データの識別番号が、Ｉ／Ｆ部１８及びクレードル２０を介してＰＣ３０に送信される（ステップＳ６７）。このとき、選択されたサムネイル表示の画像データが表示部１４に拡大表示される構成としてもよい。
【００８４】
そして、ステップＳ５４に対応して、ＰＣ３０から、クレードル２０及びＩ／Ｆ部１８を介して、新たな画像データ及びその識別番号が受信開始されたか否かが判別される（ステップＳ６８）。画像データ及びその識別番号が受信開始された場合（ステップＳ６８；ＹＥＳ）、ステップＳ６３に移行される。画像データ及びその識別番号が受信開始されていない場合（ステップＳ６８；ＮＯ）、ステップＳ６５に移行される。画像データが選択入力されていない場合（ステップＳ６６；ＮＯ）、ステップＳ６５に移行される。
【００８５】
作業終了の旨が受信された場合（ステップＳ６５；ＹＥＳ）、第３の画像データ表示処理が終了する。
【００８６】
図９（ａ）に示すように、例えば、ＰＣ３０において、表示画面３４ｂが表示部３４に表示されて、ユーザによりワードプロセッサの文書が編集されおり、表示画面３４ｂ内に画像Ｆ１が含まれる。また、デジタルカメラ１０において、ステップＳ６４に対応して、表示画面１４ｂが表示部１４に表示され、表示画面１４ｂにサムネイル画像Ｆ２〜Ｆ５が含まれる。
【００８７】
そして、ステップＳ６６に対応して、サムネイル画像Ｆ４が選択入力される。このとき、図９（ｃ）に示すように、ＰＣ３０の表示画面は表示画面３４ｂのままで、図９（ｄ）に示すように、デジタルカメラ１０の表示画面は、サムネイル画像Ｆ４の拡大画像Ｆ６が表示画面１４ｃとして表示される。
【００８８】
そして、ステップＳ６７に対応して、サムネイル画像Ｆ４の画像データに対応する識別番号がデジタルカメラ１０からＰＣ３０に送信され、ステップＳ５６に対応して、ＰＣ３０で受信される。そして、図９（ｅ）に示すように、ステップＳ５７に対応して、サムネイル画像Ｆ４の画像データに対応する識別番号に対応する位置情報に基づいて、ＰＣ３０の表示画面が、サムネイル画像Ｆ４に対応する画像Ｆ７を含む表示画面３４ｃにジャンプされる。図９（ｆ）に示すように、デジタルカメラ１０の表示画面は表示画面１４ｃの表示の後、表示画面１４ｂに戻る。
【００８９】
以上、本実施の形態によれば、ＰＣ３０において、アプリケーションプログラムの編集データに含まれる画像データをその位置情報とともに取得し、画像データに識別番号を付与し、ＰＣ３０からその全画像データをその識別番号とともに、クレードル２０に載置されたデジタルカメラ１０に送信し、デジタルカメラ１０において、その全画像データを受信して表示部１４に一覧表示し、ユーザに選択された画像データの識別番号をＰＣ３０に送信して、ＰＣ３０において、表示部３４に表示された編集データの表示位置を、選択された識別番号に対応して移動させるので、デジタルカメラ１０の表示部１４を有効活用して、表示部１４に表示された画像データをキーとして、ＰＣ３０の表示部３４に表示された編集データの表示位置を容易に移動させることができる。
【００９０】
（第４の実施の形態）
図１０〜図１２を参照して、本発明に係る第４の実施の形態を説明する。本実施の形態は、第３の実施の形態と似ているので、その異なる部分を主として説明する。先ず、図１０及び図１１を参照して、本実施の形態の装置構成を説明する。図１０に、本実施の形態のＰＣ３０Ａの外観構成を示す。図１１に、ＰＣ３０Ａの内部構成を示す。
【００９１】
図１０及び図１１に示すように、第１の実施の形態のＰＣ３０と比較して、本実施の形態のＰＣ３０Ａは、表示部として、表示部３４と同様の第１の表示手段としての第１の表示部３４Ａ及び第２の表示手段としての第２の表示部３４Ｂの２台を備える。第１の表示部３４Ａ及び第２の表示部３４Ｂには、別々の表示画面を表示可能である。
【００９２】
第１の表示部３４Ａには、第３の実施の形態の表示部１４に対応する表示画面が表示されるものとし、第２の表示部３４Ｂには、第３の実施の形態の表示部３４に対応する表示画面が表示されるものとして説明するが、これに限定されるものではなく、逆の構成としてもよい。
【００９３】
次に、図１２を参照して、本実施の形態のＰＣ３０Ａの動作を説明する。図１２に、第４の画像データ処理の流れを示す。第４の画像データ表示処理は、第１の表示部３４Ａに位置検索用の画像データ（キー画像データ）を表示させ、その画像データが選択入力された場合に、第２の表示部３４Ｂに表示されている、アプリケーションプログラムの編集データの表示画面を、選択画像データに対応する位置に、ジャンプする処理である。
【００９４】
予め、ＰＣ３０Ａにおいて、アプリケーションプログラムが実行され、ユーザの操作によりその編集データが開かれて第２の表示部３４Ｂに表示されているものとする。そして、例えば、ユーザから、操作部３２を介して、画像データをキーとして検索する画像検索指示が入力されたことをトリガとして、第１の実施の形態と同様にして、ＣＰＵ３１、ＲＡＭ３３、記憶部３５により、第４の画像データ表示処理が実行される。
【００９５】
先ず、開かれている文書データ等の編集データ内の全画像データが、その編集データ内の位置情報とともに取得され、各画像データに識別番号が付与されて、各位置情報と対応付けられ、ＲＡＭ３３に格納される（ステップＳ７１）。
【００９６】
そして、ステップＳ７１で取得された画像データが、第１の表示部３４Ａでの一覧表示用に最適化される（ステップＳ７２）。ただし、第１の表示部３４Ａは、一般にデジタルカメラの表示部よりも高解像度なので、画像サイズの縮小、圧縮化を行わない構成としてもよい。そして、最適化画像データが第１の表示部３４Ａに一覧表示される（ステップＳ７３）。そして、実行中のアプリケーションプログラムの編集作業が終了したか否かが判別される（ステップＳ７４）。この編集作業中に、随時、ユーザにより操作部３２を介して編集データ内の画像データが追加入力／削除入力される。
【００９７】
実行中のアプリケーションプログラムの編集作業が終了していない場合（ステップＳ７４；ＮＯ）、ユーザにより、操作部３２を介して、第１の表示部３４Ａに表示された画像データのうち、ジャンプ先に対応する画像データが選択入力されたか否かが判別される（ステップＳ７５）。画像データが選択入力された場合（ステップＳ７５；ＹＥＳ）、ＲＡＭ３３内の識別情報対応テーブル３３１が参照され、選択画像データの識別番号に対応する編集データ中の位置に、第２の表示部３４Ｂにおいて表示中の表示画面がジャンプされる（ステップＳ７６）。このとき、選択された画像データが第１の表示部３４Ａに拡大表示される構成としてもよい。
【００９８】
そして、ユーザにより操作部３２を介して、編集データ中に新たな画像データの入力（追加入力又は削除入力）がされたか否かが判別される（ステップＳ７７）。新たな画像データの入力がされた場合（ステップＳ７７；ＹＥＳ）、ステップＳ７１に移行される。新たな画像データの入力がされていない場合（ステップＳ７７；ＮＯ）、ステップＳ７４に移行される。実行中のアプリケーションプログラムの編集作業が終了した場合（ステップＳ７４；ＹＥＳ）、第４の画像データ表示処理が終了する。
【００９９】
以上、本実施の形態によれば、アプリケーションプログラムの編集データに含まれる画像データをその位置情報とともに取得し、その全画像データを第１の表示部３４Ａに一覧表示し、第２の表示部３４Ｂに表示された編集データの表示位置を、選択された画像データに対応して移動させるので、第１及び第２の表示部３４Ａ，３４Ｂを有効活用して、第１の表示部３４Ａに表示された画像データをキーとして、第２の表示部３４Ｂに表示された編集データの表示位置を容易に移動させることができる。
【０１００】
なお、本実施の形態においては、画像データに識別番号を付与して編集データの位置情報と対応付けたが、これに限定されるものではなく、画像データと位置情報とを直接対応付ける構成としてもよい。
【０１０１】
なお、上記第１〜第３の実施の形態においては、１台のデジタルカメラ１０と、１台のＰＣ３０とがクレードル２０を介して通信接続される構成としたが、これに限定されるものではない。例えば、図１３（ａ）に示すように、ＰＣ３０ＣがＰＣ３０Ｂ及びクレードル２０Ａを介してデジタルカメラ１０Ａと接続されて、ＰＣ３０Ｃとデジタルカメラ１０Ａとの間で通信を介する処理が実行される画像表示システム１００Ａとして構成としてもよい。この場合、ＰＣ３０ＢとＰＣ３０Ｃとの間の通信は、通信部３６を介して行われる。さらに、ＰＣ３０Ｂに代えて、有線又は無線の通信ネットワーク上の他の機器としてもよい。
【０１０２】
同様に、ＰＣに接続されるデジタルカメラの数は、１台に限定されるものではない。例えば、図１３（ｂ）に示すように、ＰＣ３０Ｄにクレードル２０Ｂ，２０Ｃを介して２台のデジタルカメラ１０Ｂ，１０Ｃが接続される画像表示システム１００Ｂとして構成することとしてもよく、３台以上としてもよい。この場合、ＰＣから各デジタルカメラに送信するデータは、共通のものとしてもよいが、それぞれ異なるものとしてもよい。つまり、各デジタルカメラでＰＣから受信して表示、保存されるデータは、それぞれ異なってもよい。
【０１０３】
また、上記第１〜第３の実施の形態においては、デジタル（スチル）カメラをクレードルにセットする構成としたが、これに限定されるものではない。例えば、撮影機能を有する携帯電話機、ＰＨＳ（Personal Handyphone System）、ＰＤＡ（Personal Digital Assistant）等の、撮影機能を有する機器を用いて、クレードルにセットする構成としてもよい。また、上記第１〜第３の実施の形態において、クレードルとＰＣとの間を有線通信する構成としたが、これに限定されるものではなく、無線通信や、有線通信及び無線通信の組合せの構成等としてもよい。
【０１０４】
また、上記第１〜第３の実施の形態において、クレードルにデスクトップのＰＣを接続する構成としたが、これに限定されるものではなく、デスクトップのＰＣに代えて、ノート型ＰＣ、ＰＤＡ等の機器とする構成としてもよい。また、上記第１〜第３の実施の形態において、画像データ又は非画像データを表示対象の画像データに変更する機能をＰＣ３０が有する構成としたが、これに限定されるものではなく、クレードル２０又はデジタルカメラ１０が有する構成としてもよい。
【０１０５】
また、上記各実施の形態における各装置等の各構成要素の細部構成、及び細部動作に関しては、本発明の趣旨を逸脱することのない範囲で適宜変更可能であることは勿論である。
【図面の簡単な説明】
【０１０６】
【図１】本発明に係る第１の実施の形態の画像表示システム１００の構成を示す図である。
【図２】デジタルカメラ１０の内部構成を示すブロック図である。
【図３】ＰＣ３０の内部構成を示すブロック図である。
【図４】ＰＣ３０に実行される第１の画像データ送信処理を示すフローチャートと、デジタルカメラ１０に実行される第１の画像データ表示処理を示すフローチャートとである。
【図５】ＰＣ３０で実行される第２の画像データ送信処理を示すフローチャートと、デジタルカメラ１０で実行される第２の画像データ表示処理を示すフローチャートとである。
【図６】（ａ）は、本発明に係る第２の実施の形態におけるＰＣ３０の表示画面例を示す図である。（ｂ）は、第２の実施の形態におけるデジタルカメラ１０の表示画面例を示す図である。
【図７】ＰＣ３０で実行される第３の画像データ送信処理を示すフローチャートと、デジタルカメラ１０で実行される第３の画像データ表示処理を示すフローチャートとである。
【図８】識別番号対応テーブル３３１の構成を示す。
【図９】（ａ），（ｃ），（ｅ）は、本発明に係る第３の実施の形態におけるＰＣ３０の表示画面例を示す図である。（ｂ），（ｄ），（ｆ）は、第３の実施の形態におけるデジタルカメラ１０の表示画面例を示す図である。
【図１０】本発明に係る第４の実施の形態のＰＣ３０Ａの外観構成を示す図である。
【図１１】ＰＣ３０Ａの内部構成を示すブロック図である。
【図１２】第４の画像データ処理を示すフローチャートである。
【図１３】（ａ）は、画像表示システム１００Ａの構成を示す図である。（ｂ）は、画像表示システム１００Ｂの構成を示す図である。
【符号の説明】
【０１０７】
１００  画像表示システム
１０，１０Ａ，１０Ｂ，１０Ｃ  デジタルカメラ
１１  撮影部
１１１  光学系
１１２  信号変換部
１１３  信号処理部
１２  制御部
１３  操作部
１３１  シャッタキー
１４  表示部
１５  情報記録部
１５１  メモリカード
１６  ＤＲＡＭ
１７  フラッシュメモリ
１８  Ｉ／Ｆ部
２０，２０Ａ，２０Ｂ，２０Ｃ  クレードル
３０，３０Ａ，３０Ｂ，３０Ｃ，３０Ｄ  ＰＣ
３１  ＣＰＵ
３２  操作部
３３，３４Ａ，３４Ｂ  ＲＡＭ
３４  表示部
３５  記憶部
３６  通信部
３７  Ｉ／Ｆ部
３８  バス
【図１】
2006099660.tif 000003
【図２】
2006099660.tif 000004
【図３】
2006099660.tif 000005
【図４】
2006099660.tif 000006
【図５】
2006099660.tif 000007
【図６】
2006099660.tif 000008
【図７】
2006099660.tif 000009
【図８】
2006099660.tif 000010
【図９】
2006099660.tif 000011
【図１０】
2006099660.tif 000012
【図１１】
2006099660.tif 000013
【図１２】
2006099660.tif 000014
【図１３】
2006099660.tif 000015